(57)【要約】      （修正有）【課題】列線に高価な鋼線を用いることなく、軽量化と低コスト化の両立が可能なポケット式落石防護網用異形菱形金網を提供する。【解決手段】ポケット式落石防護網用異形菱形金網１０は、列線１１の屈曲角が６０°を呈する縦長菱形形状の網目１２に形成すると共に、列線の線材にＪＩＳ規格ＳＷＭＧＨ−３〜４の亜鉛めっき鉄線で、線径は２．０ｍｍまたは３．２ｍｍの規格品を使用する。【選択図】図１
0003215102.tif 000002
【実用新案登録請求の範囲】
【請求項１】
複数の波形に屈曲した列線を絡み合せて形成され、網目が菱形を呈するポケット式落石防護網用の菱形金網であって、
前記複数の列線が法尻と平行に配置され、
２本の列線により画成される網目が縦長の菱形を呈し、
前記列線の線材がＪＩＳ規格のＧＨ材であることを特徴とする、
ポケット式落石防護網用異形菱形金網。
【請求項２】
前記列線の屈曲角が６０°（プラスマイナス１０°）であることを特徴とする、請求項１に記載のポケット式落石防護網用異形菱形金網。
【請求項３】
前記列線を構成するＧＨ材がＪＩＳ規格ＳＷＭＧＨ−３〜４の亜鉛めっき鉄線であることを特徴とする、請求項１または２に記載のポケット式落石防護網用異形菱形金網。
【請求項４】
前記列線を構成するＧＨ材の線径が２．０ｍｍから３．２ｍｍのＪＩＳ規格品であることを特徴とする、請求項１乃至３の何れか一項に記載のポケット式落石防護網用異形菱形金網。
【考案の詳細な説明】
【技術分野】
【０００１】
本考案は落石等の崩落物を捕捉するポケット式落石防護網用異形菱形金網に関する。
【背景技術】
【０００２】
ポケット式落石防護網は、落石のエネルギーを落石防護網の弾塑性変形等により吸収し、落石をポケット部分に落とし込む落石対策工のひとつである（特許文献１，２）。
ポケット式落石防護網は「落石対策便覧」(公益社団法人日本道路協会)や「道路土工-切土工・斜面安定工指針」(公益社団法人日本道路協会)に基づき、金網として扁平の標準菱形金網が用いられている。
金網の要求性能は金網幅１ｍ当たりの強度（交点強度、交点数、金網張力等）を基に金網にかかる荷重を算出している。
標準菱形金網の線材には、ＪＩＳ  Ｇ３５４７に規定される軟鋼線材に冷間加工および焼なましを行った後，溶融亜鉛めっき又は電気亜鉛めっきを行った断面形状が円形の線材で、一般に「ＧＳ材」と呼ばれる亜鉛めっき鉄線が用いられ、そのなかでも材料規格がＳＷＭＧＳ−３〜７（引張強さ２９０Ｎ／ｍｍ２〜５４０Ｎ／ｍｍ２）の規格品が用いられている。
【０００３】
図３，４を参照して従来の落石防護網で使用される標準菱形金網２０について説明すると、金網２０は波形に折曲加工した列線２１を絡み合せて製網した金網であり、列線２１の屈曲部の加工角度θ１が８５°、網目２２の左右方向の対向角θ２が９５°、網目寸法ｓが５０ｍｍを標準としている。
【先行技術文献】
【特許文献】
【０００４】
【特許文献１】特開昭５２−１８００５号公報
【特許文献２】特開平７−４２１１７号公報
【考案の概要】
【考案が解決しようとする課題】
【０００５】
従来のポケット式落石防護網用菱形金網は次の解決すべき課題を内包している。
＜１＞現場での取扱性を考慮すると、金網は軽量であることが望ましい。従来は金網の単位幅当たりの交点数や強度が公的便覧や指針等で規定されていて、さらに列線の屈曲角度も規定されているために、長年に亘り金網の軽量化の見直しされることがなかった。
＜２＞材質を変えずに線材の線径のみを小さくすると、金網の軽量化が可能となるものの、金網の強度が不足する。
強度不足を補うために網目寸法を小さくすると、線材の使用量が増して新たに重量増とコスト高の問題がおき、くわえて現場での施工性が悪化するといった問題が生じる。
＜３＞金網の線材を鉄線から高強度の鋼線に代えれば線径を細くして金網の軽量化が可能となるが、金網コストが高くなるといった問題が生じる
【０００６】
本考案は以上の点に鑑みて成されたもので、その目的とするところは、鋼線を用いることなく、軽量化と低コスト化の両立が可能なポケット式落石防護網用異形菱形金網を提供することにある。
【課題を解決するための手段】
【０００７】
本考案は、網目の形状を縦長の菱形形状に改良すると共に、ＪＩＳ規格でＧＨ材と呼ばれる亜鉛めっき鉄線で製網したポケット式落石防護網用異形菱形金網である。
ポケット式落石防護網用異形菱形金網は複数の列線が法尻と平行に向けて使用される。
網目の上下方向の交差角を列線の屈曲角である６０°とし、網目の上下方向の交差角を列線の屈曲角である１２０°とする。
列線を構成するＧＨ材はＪＩＳ規格ＳＷＭＧＨ−３〜４の亜鉛めっき鉄線を使用する。
標準菱形金網と同等以上の強度を得るには、ＧＨ材のなかでも線径が２．６ｍｍまたは３．２ｍｍの規格品が好適である。
【考案の効果】
【０００８】
＜１＞網目の形状を縦長の菱形形状にすると共に、線材にＧＨ材（亜鉛めっき鉄線）を使用することで、異形菱形金網の軽量化と低コスト化の両立を実現することができる。
＜２＞菱形金網の軽量化に伴い、現場での施工性も大幅に改善することができる。
＜３＞従来の製網機を用いて菱形金網を製造できるので、特殊な製網機を開発する必要がない。
【図面の簡単な説明】
【０００９】
【図１】本考案に係る異形菱形金網の平面図
【図２】異形菱形金網の網目の拡大平面
【図３】従来の標準菱形金網の平面図
【図４】標準菱形金網の網目の拡大平面
【考案を実施するための形態】
【００１０】
図面を参照しながら本考案について詳しく説明する。
【００１１】
１．ポケット式落石防護網用金網の概要
図１を参照して本考案に係るポケット式落石防護網用異形菱形金網１０（以下「異形菱形金網１０」という）について説明すると、異形菱形金網１０は複数のらせん形の列線１１を互いに係留して網目形状が縦長菱形となるように製網した菱形金網である。
本考案における「異形」とは、標準菱形金網と区別するために用いる用語であり、列線の屈曲形状を表すものではない。
【００１２】
異形菱形金網１０は、軽量化と低コスト化の両立を図るため、網目１２の形状を縦長の菱形形状に改良すると共に、線材に「ＧＨ材」と呼ばれる亜鉛めっき鉄線を使用するものである。
【００１３】
２．異形菱形金網
＜１＞列線
異形菱形金網１０を構成する列線１１として、一般にＪＩＳ規格で「ＧＨ材」と呼ばれる亜鉛めっき鉄線を用いる。
「ＧＨ材」とは、ＪＩＳ  Ｇ３５４７に規定される軟鋼線材に冷間加工を行った後、溶融亜鉛めっきまたは電気亜鉛めっきを行った断面形状が円形の線材である。
使用可能な具体的な材料規格は、例えばＳＷＭＧＨ−３〜４（引張強さ５４０Ｎ／ｍｍ２〜８３０Ｎ／ｍｍ２）を用いることができる。
ＧＨ材はＧＳ材と比べて材質が同一であるものの線材強度がＧＳ材より卓越しているので、ＳＷＭＧＨ−３〜４のなかでもＧＳ材と同等以上の強度を有し、かつ線径の小さなＧＨ材の規格品を選択して使用する。
【００１４】
＜２＞列線の配列方向
異形菱形金網１０は従来と同様に列線１１を法尻と平行に向けて使用する。
複数の列線１１はすべて横向きで使用するため、波形を呈する連続した列線１１が異形菱形金網１０の横向きに位置し、列線１１の端末部が異形菱形金網１０の左右辺に位置する。
【００１５】
＜３＞網目形状
扁平を呈する２本の列線１１により画成される網目１２は縦長の菱形を呈している。
網目１２の上下方向の対向角をθ１とし、網目１２の左右方向の対向角をθ２とした場合、網目１２は上下方向の対向角θ１が鋭角となり、左右方向の対向角θ２が鈍角となる。
網目１２の菱形形状を縦長に形成するのは、単位網幅における金網１０の交点数を増やして金網張力を高めるである。
【００１６】
＜４＞網目の角度
具体的には、列線１１の屈曲角度で求められる網目１２の上下方向の対向角θ１は、
６０°（プラスマイナス１０°）の鋭角にし、左右方向の対向角θ２を１２０°（プラスマイナス１０°）の鈍角にする。
網目１２の屈曲角度である対向角θ１が６０°を超えると、交点数が減って菱形金網の強度が低下し、対向角θ１が６０°を下回ると交点数が増え過ぎて菱形金網の重量が重たくなる。
【００１７】
＜５＞網目寸法
網目１２の寸法ｓは「落石対策便覧」等に規定されているように従来の標準菱形金網の網目寸法とほぼ同じである。
【００１８】
＜６＞異形菱形金網の製作
公知の製網機を使用して、列線１１を鋭角加工しながら異形菱形金網１０を製造する。製網機を用いた菱形金網の製造方法は周知であるため、その説明を省略する。
【００１９】
［実施例］
ＪＩＳ  Ｇ３５４７に規定されるＳＷＭＧＨ−３（ＧＨ材）の亜鉛めっき鉄線を用いて、本考案に係る異形菱形金網を製作した。
対比例としてＳＷＭＧＳ−３（ＧＳ材）の亜鉛めっき鉄線を用いて標準菱形金網を製作した。
【００２０】
＜１＞網目寸法と角度
標準菱形金網では網目寸法を５０ｍｍ、上下の対向角θ１を８５°、左右方向の対向角θ２を９５°とした。
異形菱形金網では網目寸法を５０ｍｍ、上下の対向角θ１を６０°、左右方向の対向角θ２を１２０°とした。
【００２１】
＜２＞金網の交点数
既述した条件で幅１ｍあたりの交点数ｎを算出して比較すると、標準菱形金網では交点数ｎが１４．８であるのに対し、異形菱形金網では交点数ｎが２０．０となり、異形菱形金網が標準菱形金網と比べて交点数ｎが増加する。
ここで算出する交点数は落石対策便覧基準とする（素材規格基準値の下限値に対する応力５０％、交点強度安全率１．５）。
【００２２】
＜３＞線材の許容応力度
両菱形金網に用いる線材の許容応力度はつぎの表１に示すとおりである。
ＪＩＳ規格上、ＧＳ−３とＧＨ−３は同一規格であるが、ＧＨ−３の線材はＧＳ−３と比べて線材強度が２倍近く高い関係にある（表１）。
【００２３】
【表１】
0003215102.tif 000003
【００２４】
＜４＞ＧＳ材とＧＨ材の対応について
以上のことから、従来の標準菱形金網（網目５０ｍｍ、材質ＧＳ-３）の線径４ｍｍ及び５ｍｍに代えて、異形菱形金網（網目５０ｍｍ、材質ＧＨ-３）を使用すると、線交点数が１．３５倍、引張強さが１．５倍以上となる。
そのため、適用線径をＧＳ材の４．０ｍｍから小径のＧＨ材の２．６ｍｍに置き換えて使用しても、異形菱形金網が標準菱形金網の強度を上回ることになる。
同様に適用線径をＧＳ材の５．０ｍｍからＧＨ材の３．２ｍｍに置き換えて使用することができる。
【００２５】
このように本考案では、列線の線材に「ＧＳ材」と同質素材の「ＧＨ材」を用いることで小径規格の線材を使用できると共に、網目１２の網目形状を縦長の菱形形状とすることで交点数を増やして菱形金網の設計強度を確保することができる。
【００２６】
＜５＞金網の質量
標準菱形金網と異形菱形金網のｍ２当たりの質量はつぎのとおりである。
【００２７】
【表２】
0003215102.tif 000004
上記のケースを１００ｍ2当たりの金網質量（重量）で比較すると、線径が４．０ｍｍの標準菱形金網の場合には、金網質量が４２５ｋｇであるのに対して、同強度水準以上での異形菱形金網では線径が２．６ｍｍとなり、質量は２３９ｋｇとなって、質量で４３．７％の軽量化が可能となる。
また線径が５．０ｍｍの標準菱形金網の場合には、金網質量が６７０ｋｇであるのに対し、同強度水準以上での異形菱形金網では線径が３．２ｍｍとなり、質量は３６２ｋｇとなって、質量で４５．９％の軽量化を実現できる。
【００２８】
斜面の傾斜方向に沿って垂れ落として帯状の菱形金網を設置するポケット式落石防護網工では、ロール状に巻き取った菱形金網のロール体の現場搬入、現場における搬送車両からの吊り降ろし、さらに斜面上方への菱形金網の吊り上げ作業等が必要である。
これらの一連の作業を行うに際し、標準菱形金網と比べて大幅に軽量な異形菱形金網を用いることで、現場における施工性を大幅に改善することができる。
【００２９】
＜６＞金網コスト
ＧＳ材とＧＨ材の素材は共に亜鉛めっき鉄線であるが、菱形の網目形状を縦長にすることで、ＧＳ材の大径規格品をＧＨ材の小径規格品に代用しても強度的に問題がないことが判明した。
したがって、金網の素線に鋼線を使用した場合と比べて金網コストを大幅に低減することができて、菱形金網の軽量化と低コスト化の両立を実現できる。
【符号の説明】
【００３０】
１０・・・・異形菱形金網
１１・・・・異形菱形金網を構成する列線
１２・・・・異形菱形金網の網目
２０・・・・標準菱形金網
２１・・・・標準菱形金網を構成する列線
２２・・・・標準菱形金網の網目
【図１】
0003215102.tif 000005
【図２】
0003215102.tif 000006
【図３】
0003215102.tif 000007
【図４】
0003215102.tif 000008
【手続補正書】
【提出日】平成29年12月19日(2017.12.19)
【手続補正１】
【補正対象書類名】実用新案登録請求の範囲
【補正対象項目名】全文
【補正方法】変更
【補正の内容】
【実用新案登録請求の範囲】
【請求項１】
複数の波形に屈曲した列線を絡み合せて形成され、網目が菱形を呈するポケット式落石防護網用の菱形金網であって、
前記複数の列線が法尻と平行に配置され、
２本の列線により画成される網目が縦長の菱形を呈し、
前記列線の線材がＪＩＳ規格のＧＨ材であることを特徴とする、
ポケット式落石防護網用異形菱形金網。
【請求項２】
前記列線の屈曲角が６０°プラスマイナス１０°であることを特徴とする、請求項１に記載のポケット式落石防護網用異形菱形金網。
【請求項３】
前記列線を構成するＧＨ材がＪＩＳ規格ＳＷＭＧＨ−３〜４の亜鉛めっき鉄線であることを特徴とする、請求項１に記載のポケット式落石防護網用異形菱形金網。
【請求項４】
前記列線を構成するＧＨ材の線径が２．０ｍｍから３．２ｍｍのＪＩＳ規格品であることを特徴とする、請求項１乃至３の何れか一項に記載のポケット式落石防護網用異形菱形金網。